(57)【要約】【課題】切り粉によるパネルの中膨れ状の膨出を防止することができるパネル取付工法を提供する。【解決手段】コンクリート壁に下穴を穿孔してアンカーボルト等でパネルを取付施工するに際し、下穴穿孔時の断熱パネル２をコンクリート壁１にアンカーボルト３で留め付けるに際し、まず断熱パネル２の上側にドリル７で下穴（断熱パネル２を貫通する貫通孔４とコンクリート壁１のアンカー穴６とからなる。）を穿設する。そして、この断熱パネル上側の下穴にアンカー５を打ち、アンカーボルト３を螺じ込み、該断熱パネル２の上側をコンクリート壁１に取り付ける。次いで、断熱パネル２の下側に同様に下穴を穿孔し、アンカー５及びアンカーボルト３で取り付ける。【選択図】図１
2006045946.tif 000002
【特許請求の範囲】
【請求項１】
パネルを壁面に当接させ、該パネル及び壁面にドリルで下穴をあけ、
該下穴に留具を打ち込んで該パネルを該壁面に取り付けるパネル取付工法において、
先に該パネルの上部に下穴をあけ留具で該パネルの上部を壁面に取り付け、
その後、該パネルの下部を壁面に取り付けることを特徴とするパネル取付工法。
【請求項２】
請求項１において、該パネルは少なくとも後面が硬質体よりなることを特徴とするパネル取付工法。
【請求項３】
請求項１又は２において、該留具はアンカーボルトであることを特徴とするパネル取付工法。
【発明の詳細な説明】
【技術分野】
【０００１】
本発明は、パネルの取付工法に係り、特にパネルを壁面に当接させ、該パネル及び壁面にドリルで下穴をあけ、該下穴に留具を打ち込んで該パネルを該壁面に取り付けるパネル取付工法に関する。
【背景技術】
【０００２】
建物の外壁に断熱材を取り付け、この断熱材の外面に外装仕上げを施す外断熱工法が知られている。例えば、特開２０００−１５４６０２号公報には、ブラスウールやポリスチレンフォーム等の断熱材を建物外面にアンカーボルトで留め付け、この断熱パネルに対し外装材仕上げをすることが記載されている。
【０００３】
上記の断熱材を建物のコンクリート壁面にアンカーボルトで留め付けるには、断熱材を壁面に当接し、該断熱材を通してドリルで穿孔する。これにより、断熱材に貫通孔が穿孔され、壁面にはアンカー穴が穿孔される。この貫通孔とアンカー穴とは同軸状となっている。その後、該貫通孔を通してアンカー穴にアンカーボルトを打ち込み、断熱材を壁面に固定する。
【０００４】
第４，５図は、断熱パネルをコンクリート壁１に取り付ける工程及び取付構造を示す縦断面図である。
【０００５】
断熱パネル２は、発泡スチレン等の硬質発泡樹脂ボードよりなる断熱材２ａと、該断熱材２ａの表面に設けられた前面板２ｂとからなる。この前面板は、セメント系ボード、金属板などよりなる。
【０００６】
この断熱パネル２の断熱材２ａ側をコンクリート壁１に当て、ドリル７のドリルビット８によって断熱パネル２の下部に貫通孔４及びアンカー穴６よりなる下穴を穿孔する。
【０００７】
この穿孔作業後に、アンカー５を打ち込み、アンカーボルト３を螺じ込むことにより、断熱パネル２の下部をコンクリート壁１に取り付ける。
【０００８】
次に、断熱パネル２の下部と同様にして、断熱パネル２の上部に下穴を穿孔し、アンカー５及びアンカーボルト３によってコンクリート壁１に取り付ける。
【特許文献１】特開平２０００−１５４６０２号公報
【発明の開示】
【発明が解決しようとする課題】
【０００９】
断熱パネル２の下部をアンカーボルト３で固定した後にドリル７によって断熱パネル２の上部にアンカー穴６を穿孔すると、第５図の通り、切り粉Ｐが断熱パネル２とコンクリート壁１との間のうち下側のアンカーボルト３の上側付近に溜り、断熱パネル２が中膨れする如く部分的に前方に膨出する。
【００１０】
本発明は、かかる切り粉によるパネルの中膨れ状の膨出を防止することができるパネル取付工法を提供することを目的とする。
【課題を解決するための手段】
【００１１】
本発明（請求項１）のパネル取付工法は、パネルを壁面に当接させ、該パネル及び壁面にドリルで下穴をあけ、該下穴に留具を打ち込んで該パネルを該壁面に取り付けるパネル取付工法において、先に該パネルの上部に下穴をあけ留具で該パネルの上部を壁面に取り付け、その後、該パネルの下部を壁面に取り付けることを特徴とするものである。
【００１２】
請求項２のパネル取付工法は、請求項１において、該パネルは少なくとも後面が硬質体よりなることを特徴とするものである。
【００１３】
請求項３のパネル取付工法は、請求項１又は２において、該留具はアンカーボルトであることを特徴とするものである。
【発明の効果】
【００１４】
本発明（請求項１）のパネル取付工法は、先にパネルの上部に下穴をあけ留具で該パネルの上部を壁面に取り付け、その後、該パネルの下部を壁面に取り付ける。このように、パネルの上部に下穴を穿孔する際に、パネルの下部は留具で壁面に取り付けられていないことから、パネルの上部に下穴を穿孔する際に生じた切り粉は、パネルと壁面との間の広い範囲に分散するようになる。このため、切り粉によるパネルの中膨れ状の部分的な膨出が防止される。
【００１５】
なお、パネルの後面が硬質である場合に、前記第５図の如き切り粉Ｐの堆積による中膨れ状膨出が発生し易い。従って、本発明のパネル取付工法は、パネルの少なくとも後面が硬質体よりなる場合に適用するのに好適である。
【００１６】
また、パネルをアンカーボルトによって強力に壁面に押し付けるように取付施工する場合ほど、中膨れ状膨出が生じ易いから、本発明は特に留具としてアンカーボルトを用いる場合に適用するのに好適である。
【発明を実施するための最良の形態】
【００１７】
以下に、図面を参照して本発明の実施の形態について説明する。第１図は本発明の実施の形態に係るパネル取付工法を説明する断面図、第２図は第１図のパネル取付工法を説明する斜視図、第３図はパネルの取付状況を示す縦断面図である。
【００１８】
この実施の形態では、断熱パネル２をコンクリート壁１にアンカーボルト３で留め付けるに際し、第１図（ａ）の如くまず断熱パネル２の上側にドリル７で下穴（断熱パネル２を貫通する貫通孔４とコンクリート壁１のアンカー穴６とからなる。）を穿設する。そして、この断熱パネル上側の下穴にアンカー５を打ち、アンカーボルト３を螺じ込み、該断熱パネル２の上側をコンクリート壁１に取り付ける。次いで、断熱パネル２の下側に同様に下穴を穿孔し、アンカー５及びアンカーボルト３で取り付ける。
【００１９】
このように、下穴を穿孔するに際しまず断熱パネル２の上側に下穴を穿孔するようにし、このときには断熱パネル２の下側はコンクリート壁１には取り付けられていない状態としている。
【００２０】
このため、断熱パネル２の上側に下穴を穿孔する際に生じた切り粉Ｐは、第２図の如く、断熱パネル２の裏側とコンクリート壁１との間の広い範囲に分散するようになる。（即ち、前記第５図の如く断熱パネル２の裏側の中段付近に局所的に溜ることがない。）このため、断熱パネル２を、中膨れ状の部分的な膨出を生じさせることなく、断熱パネル２の裏面全体をコンクリート壁１に密着状に当接させてコンクリート壁１に取り付けることができる。第３図の通り、取り付けられた断熱パネル２の前面は平坦なものとなる。なお、このようにして取り付けられた断熱パネルの前面にタイルや塗り材等の建築意匠材を張り付け、塗着等によって設けてもよい。
【００２１】
なお、この実施の形態では、断熱パネル２の上側に下穴を穿孔した後、断熱パネル２の下側に下穴を穿孔する前に上側の下穴にアンカーを打ってコンクリート壁１に取り付けるようにしているが、このようにすると、１人の作業者が断熱パネル２を片手で押えてドリル７で穿孔作業し、その後、１人の作業者がアンカー５を打ってアンカーボルト３を螺じ込むことができ、断熱パネル２の取付作業を１人で行うことができる。
【００２２】
但し、人手に余裕がある場合には、１人の作業者が断熱パネル２を押えておき、もう１人の作業者が各下穴をすべて穿孔し、その後各下穴にアンカー５を打ち、アンカーボルト３を螺じ込むようにしてもよい。
【００２３】
上記実施の形態では、第２図の通り、コンクリート壁１に下側から順次断熱パネル２を積み上げるようにして取付施工しているが、断熱パネル２をコンクリート壁１の上方側から順次に張り下げるようにしてもよい。この場合、下穴穿孔時の切り粉の一部は、取付作業中の断熱パネル２の裏側を通り抜けて下方に落下するようになるので、断熱パネル２の中膨れ状の膨出をより確実に防止することができる。
【００２４】
前記の通り、この断熱パネル２の裏面はフェノールフォーム、ポリウレタンフォーム、ポリイソシアヌレートフォーム、塩化ビニルフォーム、ポリエチレンフォーム、ポリスチレンフォーム、ユリアフォーム、スタイロフォームなどの硬質発泡樹脂ボードよりなるが、これ以外の硬質断熱材が用いられてもよい。また、これらの硬質発泡樹脂ボードの表面に金属板が設けられていてもよい。この場合、アンカーが強固に固定されるとともに、その上にタイルや塗り材等の建築意匠材を施した場合に経年剥離が起きにくい。
【００２５】
また、本発明は、断熱パネル２の取付工法だけでなく、木板、セメント系板材、金属パネルなどの硬質の板状建材を壁面に取り付ける場合にも適用することができる。
【００２６】
上気実施の形態ではアンカーボルトで断熱パネル２をコンクリート壁１に取り付けているが、アンカーボルト以外の留具を用いてもよい。
【図面の簡単な説明】
【００２７】
【図１】本発明の実施の形態に係るパネル取付工法を説明する断面図である。
【図２】第１図のパネル取付工法を説明する斜視図である。
【図３】パネルの取付状況を示す縦断面図である。
【図４】従来例の説明図である。
【図５】従来例の説明図である。
【符号の説明】
【００２８】
１  コンクリート壁
２  断熱パネル
３  アンカーボルト
４  貫通孔
５  アンカー
６  アンカー穴
【図１】
2006045946.tif 000003
【図２】
2006045946.tif 000004
【図３】
2006045946.tif 000005
【図４】
2006045946.tif 000006
【図５】
2006045946.tif 000007